(57)【要約】【課題】他の機器の時刻情報と自分の携帯機器の時刻情報が異なっていたとしても画像を交換しあったときには受け取った画像データの更新時刻が自分の時刻情報にあうように補正される携帯機器を提供する。【解決手段】外部接続モードが他の機器から画像データを受信するときにはステップＳ５０５の処理で他の機器の現在時刻の情報を取得する。ステップＳ５０６で自分の携帯機器の時計が示す現在時刻から取得した時刻を引いて差を求めて受信した画像データの時刻情報を補正する。【選択図】        図５
2008245181.tif 000002
【特許請求の範囲】
【請求項１】
無線装置を備えた他機器から時刻情報が付された画像データを無線で受信する無線装置を備えた携帯機器において、
当該携帯機器と前記他の機器は、双方ともに現在時刻のセットを行なうことが自在な時計を具備し、
当該携帯機器は、前記他機器から画像データを受信するにあたり、前記機器が備える時計の現在時刻を受信し受信した現在時刻と自己の時計の現在時刻との差を算出する時刻差算出手段と、
前記無線装置で受信した画像データに付された時刻情報を、前記時刻差算出手段で算出された時刻差だけ補正する時刻補正手段とを備えたことを特徴とする携帯機器。
【請求項２】
無線装置を備えた他機器から時刻情報が付された画像データを無線で受信する無線装置を備えた携帯機器において、
それぞれに時刻情報が付された複数の画像データが記録された記録メディアをアクセスするメディアドライブ手段と、
画像データに基づく画像を該画像データに付された時刻情報に基づく時刻順に並べたときの、前記他機器から受信した画像データの時刻順の挿入位置を指定する位置指定手段と、
前記他機器から受信した画像データに、前記位置指定手段で指定された挿入位置に対応する時刻を表わす時刻情報を付与する時刻情報付与手段とを備えたことを特徴とする携帯機器。
【請求項３】
前記無線装置が赤外線通信を行なう赤外線通信装置であることを特徴とする請求項１記載の携帯機器。
【請求項４】
当該携帯機器が、撮像素子上に結像された被写体を表わす画像データを生成し時刻情報を付けて記録メディアに記録する撮影装置であることを特徴とする請求項１から３のうちのいずれか１項記載の携帯機器。
【請求項５】
当該携帯機器が、画像データを受け取って画像を表示する画像表示装置であることを特徴とする請求項１から３のうちのいずれか１項記載の携帯機器。
【発明の詳細な説明】
【技術分野】
【０００１】
本発明は、無線装置を備えた機器から画像ファイルを無線で受信することが自在な、無線装置を備えた携帯機器に関する。
【背景技術】
【０００２】
最近のデジタルカメラ等の携帯機器には赤外線通信機能などの通信機能を備えたものが多い。例えばその携帯機器が通信機能を備えたデジタルカメラであると、運動会などにおいて自分のデジタルカメラと他の子供の親達のデジタルカメラとでそれぞれ同じ場面の子供達を異なるアングルで撮影して上記通信機能を使ってそれぞれのデジタルカメラで撮影した画像を交換しあうことができる。
【０００３】
最近のデジタルカメラにおいては、特許文献１や特許文献２のように例えば運動会というディレクトリ内に交換し合った画像をグループ化して記録することができるようになっているので、その交換した画像を再生するときにはその運動会というディレクトリ内の多数の画像データのいずれかをクリックすることで自分の見たい画像をすぐに見ることができる。
【０００４】
また、ディレクトリから画像ファイルを削除したり、他のディレクトに画像ファイルを移動させるときなどに、ディレクトリ内の画像ファイルそのものを削除したり移動させようとすると処理が面倒になるので、ファイル名だけのリストを作成しておいて削除や移動を行なうときにはそのリスト内のファイル名を削除したりリスト内のファイル名を移動させることで処理の効率化を図ろうとしているものもある（例えば特許文献２参照）。
【０００５】
ところで、携帯機器には大抵時計が備えられており、携帯機器を持つユーザによって個別に時計の時刻がセットされる。携帯機器においては、大抵、デジタルカメラを含めてその時計の時刻情報に基づいて画像データが時刻順に並べて記録される。
【０００６】
図１は、従来のＤＯＳ（Ｄｉｓｋ  Ｏｐｅｒａｔｉｎｇ  Ｓｙｓｔｅｍ）ファイル管理システムの構成を説明する図である。また図２は、携帯機器が図１のファイル管理方式で画像を管理したときの時刻情報の取扱いを説明する図である。表示画面上に時刻順に並べられてサムネイル画像がマルチ画面で表示される場合の例が示されており、さらにいずれかのサムネイル画像が指定されたら拡大表示される場合の例が示されている。
【０００７】
図１には、携帯機器であるデジタルカメラが備えるメモリ領域のパーティションが示されており、上の方から順にブートセクタ、ＦＡＴ領域、ＤＩＲ領域、データ領域それぞれがメモリ領域内に割り当てられていることが示されている。なお、これらのメモリ領域は、このデジタルカメラが備えるＲＯＭ領域、ＲＡＭ領域を含めたすべての記録領域のパーティションであって、メインメモリがＥＥＰＲＯＭなどの書き換え自在なメモリあった場合にはそのメインメモリ内のプログラム領域以外の部分が上記領域に割り当てられることもある。
【０００８】
図１のブートセクタには、ブートつまりこの機器の電源が投入され記録メディアが挿入されたときにそのメディア内の情報を読み込むのに必要な情報が記録されていてＦＡＴ（Ｆｉｌｅ  Ａｌｌｏｃａｔｉｏｎ  Ｔａｂｌｅ）領域には記録メディア（メモリカード等）内のファイルの割付状態が記録されさらにＤＩＲ（Ｄｉｒｅｃｔｏｒｙ）領域にはディレクトリごとのグルーピング情報が記録される。このＤＩＲ領域には右側に示す様にディレクトリ内のファイル名や拡張子、属性、ディレクトリと上記ＦＡＴとを結び付ける情報などが記録され、その中に時刻情報や日付情報なども記録される。画像データが時刻順に再生表示されるときにはこれらの時刻情報に基づいて画像データが再生表示される。このような管理情報があるとこのデジタルカメラに挿入される記録メディア内のデータの管理が行い易く、ユーザがこのデジタルカメラで日付順に画像データに基づく画像を再生しようとしたときには、図２に示す様に表示画面上に時刻順に並べてサムネイル画像Ｔｈを表示することができ、いずれかが指定されたら指定された画像ＰＩＣを即座に拡大表示することもできる。
【０００９】
しかしながら、もしも自分の携帯機器と他の機器の時計のセット状況が異なっていた場合には、他の機器から通信機能を使って受信した画像データが持つ時刻情報がメモリ内のＤＩＲ領域に記録されてそのファイル情報を持つ画像データが記録メディアに記録されることになる。
【００１０】
つまり、他の機器の時刻情報がそのままＤＩＲ領域内に記録されてしまうと、日付順に再生を行なおうとしたときには時刻順序がずれて再生表示されてしまう。
【特許文献１】特開２００３−２９９０１５号公報
【特許文献２】特開平１１−１２００５２号公報
【発明の開示】
【発明が解決しようとする課題】
【００１１】
本発明は上記問題点を解決し、他の機器の時刻情報と自分の携帯機器の時刻情報が異なっていたとしても画像を交換しあったときに受け取った画像データの時刻情報が自分の携帯機器の時刻情報にあうように補正される携帯機器を提供することを目的とするものである。
【課題を解決するための手段】
【００１２】
上記目的を達成する本発明の第１の携帯機器は、無線装置を備えた他機器から時刻情報が付された画像データを無線で受信する無線装置を備えた携帯機器において、
当該携帯機器と上記他の機器は、双方ともに現在時刻のセットを行なうことが自在な時計を具備し、
当該携帯機器は、上記他機器から画像データを受信するにあたり、上記機器が備える時計の現在時刻を受信し受信した現在時刻と自己の時計の現在時刻との差を算出する時刻差算出手段と、
上記無線装置で受信した画像データに付された時刻情報を、上前記時刻差算出手段で算出された時刻差だけ補正する時刻補正手段とを備えたことを特徴とする。
【００１３】
上記本発明の第１の携帯機器によれば、他機器から画像データを受信するにあたり上記時刻差算出手段で他の機器の時計の現在時刻が受信され受信された他の機器の現在時刻と自己の時計の現在時刻との差が算出される。そして上記時刻補正手段によって上記時計差算出手段で算出された時刻差だけ無線で受信した画像データの時刻情報が補正される。
【００１４】
そうすると、他の機器から受け取った画像データが自分の携帯機器が備える記録メディアに記録されるときには、他の機器側の時刻情報が自分の携帯機器の時計が示す時刻にあうように補正されて図２の時刻情報のところに記録される。なお、このときには、画像データに付与されている時刻情報を書き換えても良いし書き換えなくても良い。
【００１５】
このため、自分の携帯機器で画像データに基づく画像が再生表示されるときには補正された後の時刻情報に基づいて再生表示が行なわれるようになるので、図２のようにサムネイル画像が並べて表示されるような場合においても自己の時計の時刻情報に応じた適正位置にサムネイル画像が挿入され並べられて表示されることとなる。
【００１６】
また、上記目的を達成する第２の携帯機器は、
無線装置を備えた他機器から時刻情報が付された画像データを無線で受信する無線装置を備えた携帯機器において、
それぞれに時刻情報が付された複数の画像データが記録された記録メディアをアクセスするメディアドライブ手段と、
画像データに基づく画像を該画像データに付された時刻情報に基づく時刻順に並べたときの、上記他機器から受信した画像データの時刻順の挿入位置を指定する位置指定手段と、
上記他機器から受信した画像データに、上記位置指定手段で指定された挿入位置に対応する時刻を表わす時刻情報を付与する時刻情報付与手段とを備えたことを特徴とする。
【００１７】
上記第２の携帯機器によれば、例えば図２に示す様に第２の携帯機器内の多数の画像を表示画面上に時刻順に並べて表示しておいて、上記位置指定手段でその表示画面上の多数の画像のうちのいずれかが指定されると指定された挿入位置に対応する時刻情報が上記時刻情報付与手段によって受信した画像データに付与される。
【００１８】
つまり画像の交換をし合ったときに他の機器の時計の時刻が上記携帯機器の時刻と異なっていたとしても、例えば表示画面上に並べて表示されている画像の中から上記位置指定手段によっていずれかが指定されたことを受けて上記時刻情報付与手段によって上記位置指定手段で指定された画像が持つ時刻情報と指定された画像の隣に表示されている画像の時刻情報とに基づいて図２に示す時刻情報が書き換えられて画像データが記録メディアに記録される。
【００１９】
このため、上記携帯機器によって画像データに基づく画像が再生表示されるときには補正された時刻情報に基づいて再生表示が行なわれ、図２のようにサムネイル画像が並べて表示されるような場合においては当該携帯機器が持つ時計の時刻情報に応じて適正な位置にサムネイル画像が挿入され並べられて表示されることとなる。
【００２０】
ここで、上記無線装置が赤外線通信を行なう赤外線通信装置であっても良い。
【００２１】
また、当該携帯機器が、撮像素子上に結像された被写体を表わす画像データを生成し時刻情報を付けて記録メディアに記録する撮影装置であっても良く、
当該携帯機器が、画像データを受け取って画像を表示する画像表示装置であっても良い。
【発明の効果】
【００２２】
以上説明した様に、他の機器の時刻情報と自分の携帯機器の時刻情報が異なっていたとしても画像を交換しあったときには受け取った画像データの時刻情報が自分の携帯機器の時刻情報にあうように補正される携帯機器が実現する。
【発明を実施するための最良の形態】
【００２３】
以下図面を参照して本発明の実施の形態を説明する。
【００２４】
図３は、本発明の一実施形態であるデジタルカメラ１の外観を示す図である。
【００２５】
図３（ａ）には、デジタルカメラ１を正面から見た図が示されており、図３（ｂ）には、デジタルカメラ１を背面から見た図が示されている。
【００２６】
図３（ａ）に示すように、ボディ１ａの中央には撮影レンズ１１０１が備えられており、そのレンズ鏡胴１１０１の右斜め上方には発光窓１９０Ａが備えられている。さらにボディ１ａ上面にはレリーズボタン１０ａなどが備えられている。また、図３（ｂ）に示すように、ボディ１ａ背面には液晶モニター１２５Ａが備えられており、その液晶モニター１２５Ａの隣にはメニューを液晶モニター１２５Ａ上に表示するときに操作されるＭＥＮＵ／ＯＫ釦１０ｂやそのメニュー内のいずれかの項目を選択するときに操作される十字キー１０ｃや、液晶モニター１２５Ａを非表示にしたり表示にしたりする時に操作されるＤＩＳＰ／ＢＡＣＫボタン１０ｄや液晶モニター１２５Ａ上に既撮影画像を再生表示するときに操作される再生釦１０ｅやズームスイッチ１０ｆなどの操作子が備えられている。尚以降においては、これらの操作子をまとめて操作子群１０と記載することがある。
【００２７】
また、本実施形態のデジタルカメラ１には、他の機器からの画像データを含むデータを無線で受信することができるようにＩＲＤＡ（Ｉｎｆｒａｒｅｄ  Ｄａｔａ  Ａｓｓｏｃｉａｔｉｏｎ）規格に準拠した外部通信Ｉ／Ｆ１８０が備えられている。
【００２８】
このため、本実施形態のデジタルカメラ１には、外部接続モードというモードが搭載されており、その外部接続モードが指定された状態にあるときに他の機器から画像データが赤外線で送られてきたときにはその画像データが外部通信Ｉ／Ｆ１８０で受信される。
【００２９】
図４は、図３のデジタルカメラ１の内部の構成を示すブロック図である。
【００３０】
図４に示す様に、本実施形態のデジタルカメラ１の動作は、ＣＰＵ１００によって統括的に制御されており、そのＣＰＵ１００にはアドレスバス１０４Ａとデータバス１０４Ｄを介してメインメモリ１００Ｂが接続されている。このメインメモリ内にプログラムが書き込まれている。本実施形態のデジタルカメラ１においては電源が投入されたことを受けてＣＰＵ１００がそのメインメモリ１００Ｂにメモリ制御１００Ａを介してアクセスして内部のプログラムの手順にしたがってこのデジタルカメラ１の動作の制御を開始する。
【００３１】
ここで、画像データの流れに沿ってこのデジタルカメラ１の構成を順に説明していく。
【００３２】
図４の左側の撮影レンズ１１０１で捉えられている被写体を表わす画像データが、右側の記録メディア１２８に記録されるので、図４の左側にある構成要素から順に説明していく。
【００３３】
図４の左側にある撮影光学系内の撮影レンズ１１０１で捉えられている被写体が撮像素子１２０に結像される。このときには、フォーカスと露出が調整された被写体光を撮像素子１２０に結像させる必要があるので、後述する積算部１２９の積算結果に基づいてＣＰＵ１００によって絞り駆動部１０２が制御され撮影光学系内の絞り１１０２の径が変更され露出調節が行なわれるとともに、ＣＰＵ１００によってレンズ駆動部１０１が制御され撮影レンズ１１０１の中のフォーカスレンズのフォーカス位置が調整されることによりピント調整が行なわれる。
【００３４】
なお、本実施形態においては、撮影レンズ１１０１を備える撮影光学系内に光学ローパスフィルタ１１０４を挿入してエリアシングなどの発生を抑制したり、撮像素子１２０（本例ではＣＣＤ固体撮像素子）の赤外線側の感度が高いので赤外線カットフィルタ１１０３を挿入して赤外線の悪影響を防止したりしている。
【００３５】
こうして撮影レンズ１１０１が向けられている方向の被写体が撮像素子１２０に結像され撮像素子１２０で被写体を表わす画像データが生成されて撮像素子１２０から被写体を表わす画像データがアナログ信号処理部側１２１へと出力される。
【００３６】
図１に示すようなデジタルカメラにおいては背面側の液晶モニター１２５Ａがファインダ代わりに用いられるので液晶モニター１２５Ａ上に動画を表示するために電源が投入されたときにＣＰＵ１００は撮像素子駆動部１０３に指示して所定の間隔ごとに撮像素子１２０に画像を生成させてはアナログ信号処理部１２１へと画像データを出力させている。この撮像素子１２０から出力された画像データを受けてアナログ信号処理部１２１では、ノイズ低減処理などが行なわれノイズ低減処理が行われた画像データが後段のＡ／Ｄ１２２でデジタル信号の画像データに変換されて画像データがデータバス１０４Ｄ上に導かれる。
【００３７】
データバス１０４Ｄ上に導かれた画像データは、まずデジタル信号処理部１２３内のフレームメモリにすべて転送される。このデジタル信号処理部１２３では、ＲＧＢ信号からＹＣ信号への変換などの処理が行なわれＹＣ信号に変換された画像データがＣＰＵの制御の下に表示制御部１２４内の表示バッファメモリ（不図示）に転送される。そして表示制御部１２４の制御の下に表示部１２５が備える液晶モニター１２５Ａ上に画像データに基づく画像が表示される。ＣＰＵ１００は、前述した様に撮像素子駆動部１０４に指示して撮像素子１２０に所定の間隔ごとに画像を生成させては出力させているので、表示制御部１２４内の画像バッファメモリの内容が所定の間隔ごとに書き換えられることにより液晶モニター上の画像が次々に切り替えられて、表示部１２５が備える液晶モニター１２５Ａ上には撮影レンズ１１０１が捉えている被写体像（以降スルー画という）が表示される。
【００３８】
ここで、その液晶モニター上のスルー画を見ながらシャッタチャンスにレリーズボタン１０ａが押されたら、まずレリーズボタン１０ａが半押しされたときにＣＰＵ１００が積算部１２９に測光および測距を行なわせて測光結果と測距結果を受け取って絞り駆動部１０２に指示して絞りの径を調節させるとともにレンズ駆動部１０１に指示してフォーカスレンズを合焦位置に移動させてピント調整を行なわせる。
【００３９】
続いて全押しされたときにＣＰＵ１００は、積算部１２９で積算された結果に基づいて半押し時に予め算出しておいたシャッタ速度で撮像素子駆動部１０３に指示して撮像素子１２０に露光を行なわせ露光終了後に被写体を表わす画像データをアナログ信号処理部１２１へと出力させる。このとき、ＣＰＵ１００が被写界輝度が暗いと判定した場合には、発光手段１９０に発光を行なわせて撮影が行なわれる。なおこの例では調光機能付きの発光手段１９０が備えられた例が示されており、発光手段１９０が備える発光部１９０１から発光された光が受光部１９０２で受光され受光された光量が所定の光量になったところで発光部１９０１の発光が停止される構成になっている。
【００４０】
撮像素子１２０から出力された画像データがアナログ信号処理部１２１へ供給されると、アナログ信号処理部１２１では、ノイズ低減処理などが行なわれ、Ａ／Ｄ１２２でデジタル信号に変換された画像データがデータバス１０４Ｄ上に導かれ、データバス側に導かれた画像データがデジタル信号処理部１２３内のフレームメモリ内にすべて導かれる。
【００４１】
デジタル信号処理部１２３ではＹＣ変換処理などの信号処理が行なわれ、デジタル信号処理部１２３で信号処理が行なわれた後、今度はデータバス１０４Ｄを経由してアドレスバス１０４Ａのアドレス指定に基づいて圧縮伸張処理部１２６に画像データが転送され、この圧縮伸張処理部１２６で画像データが圧縮処理される。さらに圧縮処理された画像データが同様に外部メモリ制御部１２７に転送され外部メモリ制御部１２７の制御の下に記録メディア１２８に記録される。
【００４２】
さらに、本実施形態のデジタルカメラ１には上述した様に外部通信Ｉ／Ｆ１８０が配備されており、他の機器から画像データが無線例えば赤外線で送信されてきたときにはその外部通信Ｉ／Ｆ１８０によって画像データが受信される構成になっている。画像データが外部通信Ｉ／Ｆ１８０で受信されたときには、外部通信制御部１８０Ａ内に受信された画像データが一旦蓄えられ、蓄えられた画像データが外部メモリ制御部１２７に転送され外部メモリ制御部１２７の制御の下に記録メディア１２８に記録されるようにもなっている。
【００４３】
このときに、他の機器が備える時計の時刻が本実施形態のデジタルカメラの時計１００Ｃの時刻と異なっていると、デジタルカメラ１の時刻とは異なる時刻情報が、例えばメインメモリ内の管理情報部（図２参照）に記録されてしまう。このためその画像データに基づく画像が再生表示されるときにサムネイル画像が図２に示す様に並べて表示されるときにはこのデジタルカメラの時計が示す時刻情報の位置からはずれた時刻のところに他の機器から受信した画像のサムネイル画像が表示されてしまう。そこで本実施形態のデジタルカメラ１においては、他の機器が備える無線装置とこのデジタルカメラの外部通信Ｉ／Ｆ１８０との間で通信前に通信用のネゴシエーションが行なわれていることを利用してそのネゴシエーションが行なわれているときに他の機器の現在時刻の情報をデジタルカメラ側に送信させその現在時刻の情報を外部通信Ｉ／Ｆ１８０で受信することにより他の機器とこのデジタルカメラとの間の時刻の違いを補正することができるようにしている。
【００４４】
図５は、ＣＰＵ１００が時刻情報の補正処理を行なうときの処理の手順を示すフローチャートである。
【００４５】
まず、ステップＳ５０１で外部接続モードであるかどうかを判定する。このステップＳ５０１で外部接続モードではないと判定したらＮｏ側へ進んでこのフローの処理を終了する。
【００４６】
ステップＳ５０１で外部接続モードであると判定したら、ステップＳ５０２へ進んで接続可能な機器であるかどうかの検索を開始する。この例においてはメインメモリ１００Ｂ内に接続可能な外部機器のリストが予め記録されているとしそのリストを検索して次のステップＳ５０３で接続可能な機器であるかどうかの判定を行なうようにしている。このステップＳ５０３で接続可能な機器ではないと判定したらＮｏ側へ進んでこのフローの処理を終了する。
【００４７】
ステップＳ５０３で接続可能な機器であると判定したらＹｅｓ側へ進んでステップＳ５０４で接続処理を開始する。ステップＳ５０４で接続処理を開始してまず他の機器との間で通信規格に関するネゴシエーションを開始する。このステップＳ５０５でネゴシエーション中に他の機器の現在の日時情報を取得する。このステップＳ５０５で日時情報を取得したら次のステップＳ５０６へ進んでステップＳ５０５で取得した日時情報と時計の現在時刻との差を求める。次のステップＳ５０７で画像データの受信処理を開始し、ステップＳ５０８で画像データの受信が終了したかどうかを判定し終了していなかったらステップＳ５０８の処理を繰り返す。ステップＳ５０８で画像データの受信が終了したと判定したらステップＳ５０９へ進んで受信した画像データの日時情報をステップＳ５０６で算出した差だけ補正してその補正した時刻情報をメインメモリ１００Ｂの管理情報部に記録するとともに、画像データとともに記録メディア１２８に記録する。
【００４８】
つまり、本実施形態においては、本発明にいう時刻差算出手段の一例と本発明にいう時刻補正手段との双方がＣＰＵ１００で構成される。
【００４９】
図６は、そのＣＰＵ１００の書き換えの状態を説明する図である。図６の上側が日付であり、下側が時刻である。
【００５０】
ＣＰＵ１００は、ステップＳ５０６の処理で、デジタルカメラ内の時計１００Ｃの現在時刻（２００６．０８．２３  １５：３６：２５）と受信した他の機器の時刻情報（２００６．０８．２３  １５：３０：４５）とから差分（００：０５：４０）を算出する。ここで他の機器から受信した画像データの更新日時例えば画像ファイルのヘッダ内にある更新日時が２００６．０７．３０  １１：２３：１３であったら、更新日時を２００６．０７．３０  １１：２８：５３と補正し補正した更新日時をメインメモリの管理情報部に書き込むとともに画像データのヘッダ部に付加して記録メディアに記録する。
【００５１】
こうして、図２で説明した時刻情報のところの内容が補正されると、図２に示す様にサムネイル画像が時刻順に並べられて表示画面上に表示されたときには外部通信Ｉ／Ｆで受信した画像データのサムネイル画像が適正位置に表示されるようになる。
【００５２】
以上説明した様に、他の機器の時刻情報と自分の携帯機器の時刻情報が異なっていたとしても画像を交換しあったときには受け取った画像データの更新時刻が自分の時刻情報にあうように補正される携帯機器が実現する。
【００５３】
図７、図８は第２実施形態を説明する図である。
【００５４】
この第２実施形態においても図３の外観と図４の内部構成を持つデジタルカメラが用いられるものとする。
【００５５】
図７には、外部接続モードが指定されたときに、外部メモリ制御部１２７の協力の下に記録メディア１２８内の多数の画像データの中の９つの画像データに基づく画像が並べて表示され十字キー等の操作によりその９つの再生画像の中のいずれかが指定されることにより他の機器から受信した画像データの挿入位置が指定される構成にした場合の例が示されている。
【００５６】
図７に示す様に、挿入したい位置が４コマ目と５コマ目との間であったら、４番目の画像が例えば十字キーの操作等により指定され、６コマ目と７コマ目の間であったら６番目の画像が十字キーの操作等により指定される。
【００５７】
ＣＰＵ１００は、その十字キー等の操作を受けて、１コマ目の画像の更新日時と２コマ目の画像の更新日時を参照してそれらの値から差分を求めて２で割って求めた値を用いて、受信した画像データの更新日時を決定してその更新日時をメインメモリに記録するとともに画像データに付与して記録メディア１２８に記録する。
【００５８】
図８は、ＣＰＵ１００が行なう処理の手順を示すフローチャートである。
【００５９】
まず、ステップＳ８０１で外部接続モードであるかどうかを判定する。このステップＳ８０１で外部接続モードではないと判定したらＮｏ側へ進んでこのフローの処理を終了する。
【００６０】
ステップＳ８０１で外部接続モードであると判定したら、ステップＳ８０２へ進んで接続可能な機器であるかどうかの検索を開始する。次のステップＳ８０３で接続可能な機器であるかどうかの判定を行なって接続可能な機器ではないと判定したらＮｏ側へ進んでこのフローの処理を終了する。
【００６１】
ステップＳ８０３で接続可能な機器であると判定したらＹｅｓ側へ進んでステップＳ８０４で接続処理を開始する。ステップＳ８０４で接続処理を開始する。このステップＳ８０４の処理が終了したら、次のステップＳ８０５で表示画面上に再生画像をマルチ画面で表示して挿入位置の指定を行なわせる。このステップＳ８０５で挿入位置が指定されたら次のステップＳ８０６へ進んで画像データの受信処理を開始してステップＳ８０７で受信処理が終了したかどうかを判定して終了していなかったらステップＳ８０７の処理を繰り返し、ステップＳ８０７で受信処理が終了したと判定したらステップＳ８０８で受信した画像像データの更新日時の書き換えを行なってフローの処理を終了する。
【００６２】
ここで、ステップＳ８０５の挿入位置選択処理の詳細を右側のフローを参照して説明する。
【００６３】
ステップＳ８０５の挿入位置選択処理が開始されると、まずステップＳ８０５１で図７に示すような画像一覧の再生処理を行なう。ステップＳ８０５２で十字キーなどが操作され挿入したい位置が選択されたかどうかを判定する。ステップＳ８０５２で挿入した位置が指定されていなかったらＮｏ側へ進んでステップＳ８０５２の処理を繰り返し、ステップＳ８０５２で挿入したい位置が指定されたらＹＥＳ側へ進んでステップＳ８０５３で差が算出されその差に基づいて例えば双方の日時情報の中間の時刻情報を付与してメインメモリに情報を保存してステップに戻って処理を続行する。
【００６４】
ＣＰＵ１００が以上の処理を実行すると、ユーザが指定した位置の時刻情報がメインメモリ１００Ｂに保存されて画像データが記録メディアに記録され、再生表示を行なうときにはユーザが指定した時刻のところにサムネイル画像が並べて表示される。例えば画像を交換し合ったときには受信した画像とほぼ同じ場面が撮影された画像の近くを指定すれば良いので、時刻情報が適正に更新され画像データが記録される。
【００６５】
つまり、本実施形態においては、それぞれに時刻情報が付された複数の画像データが記録された記録メディアをアクセスするメディアドライブ手段の一例がＣＰＵ１００と外部メモリ制御部１２７とで構成され、本発明の位置指定手段の一例が十字キーで構成され、本発明にいう時刻情報付与手段の一例がＣＰＵで構成される。
【００６６】
このようにユーザが自分の撮影した画像の時刻情報に基づいて受信した画像データの時刻情報を更新する構成にしても良い。
【図面の簡単な説明】
【００６７】
【図１】従来のＤＯＳ（Ｄｉｓｋ  Ｏｐｅｒａｔｉｎｇ  Ｓｙｓｔｅｍ）ファイル管理システムの構成を説明する図である。
【図２】携帯機器が図１のファイル管理方式で画像を管理したときの時刻情報の取扱いを説明する図である。
【図３】本発明の一実施形態であるデジタルカメラ１の外観を示す図である。
【図４】図３のデジタルカメラ１の内部の構成を示すブロック図である。
【図５】ＣＰＵ１００が時刻情報の補正処理を行なうときの処理の手順を示すフローチャートである。
【図６】ＣＰＵ１００の書き換えの状態を説明する図である。
【図７】第２実施形態を説明する図である。
【図８】第２実施形態を説明する図である。
【符号の説明】
【００６８】
１    デジタルカメラ
１０    操作子群
１０ａ    レリーズボタン
１０ｂ    ＭＥＮＹ／ＯＫ釦
１０ｃ    十字キー
１０ｄ    ＤＩＳＰ／ＢＡＣＫ釦
１０ｅ    再生釦
１０ｆ    ズームスイッチ
１００    ＣＰＵ
１００Ａ    メモリ制御部
１００Ｂ    メインメモリ（プログラムメモリ）
１００Ｃ    時計
１０１    レンズ駆動部
１０２    絞り駆動部
１０３    撮像素子駆動部
１１０１    撮影レンズ
１１０２    絞り
１１０３    赤外線フィルタ
１１０４    光学ローパスフィルタ
１２０    撮像素子
１２１    アナログ信号処理部
１２２    Ａ／Ｄ
１２３    デジタル信号処理部
１２４    表示制御部
１２５    表示部
１２６    圧縮伸張処理部
１２７    外部メモリ制御部
１２８    記録メディア
１２９    積算部
１８０    無線通信Ｉ／Ｆ
１８０Ａ    無線通信制御部
【図１】
2008245181.tif 000003
【図２】
2008245181.tif 000004
【図３】
2008245181.tif 000005
【図４】
2008245181.tif 000006
【図５】
2008245181.tif 000007
【図６】
2008245181.tif 000008
【図７】
2008245181.tif 000009
【図８】
2008245181.tif 000010